(57)【要約】【課題】従来、デジタル放送される文字列のうち、地震情報等の必要な情報を選択して、必要な人に知らせることができなかった。【解決手段】デジタル放送を受信する受信部と、受信部が受信したデジタル放送から文字列を取得する文字列取得部と、文字列取得部が取得した文字列の内容または属性が予め決められた条件を満たすか否かを判断する判断部と、判断部が予め決められた条件を満たすと判断した文字列を転送する転送部とを具備する情報転送装置により、デジタル放送される文字列のうち、地震情報等の必要な情報を選択して、必要な人に知らせることができる。【選択図】図１
2014204382.tif 000002
【特許請求の範囲】
【請求項１】
デジタル放送を受信する受信部と、
前記受信部が受信したデジタル放送から文字列を取得する文字列取得部と、
前記文字列取得部が取得した文字列の内容または属性が予め決められた条件を満たすか否かを判断する判断部と、
前記判断部が予め決められた条件を満たすと判断した文字列を転送する転送部とを具備する情報転送装置。
【請求項２】
前記転送部は、
前記判断部が予め決められた条件を満たすと判断した文字列であるテキストを転送する請求項１記載の情報転送装置。
【請求項３】
前記転送部は、
前記判断部が予め決められた条件を満たすと判断した文字列を、音声情報に変換し、音声情報の文字列を取得する音声変換手段と、
前記音声変換手段が取得した音声情報の文字列を転送する転送手段とを具備する請求項１記載の情報転送装置。
【請求項４】
転送先を識別する１以上の転送先識別子を格納し得る転送先識別子格納部をさらに具備し、
前記転送部は、
前記１以上の転送先識別子で識別される１以上の転送先に、前記判断部が予め決められた条件を満たすと判断した文字列を転送する請求項１から請求項３いずれか一項に記載の情報転送装置。
【請求項５】
前記文字列は、
緊急性を有する情報である速報情報である請求項１から請求項４いずれか一項に記載の情報転送装置。
【請求項６】
デジタル放送を受信する受信部と、
前記受信部が受信したデジタル放送から文字列を取得する文字列取得部と、
前記文字列取得部が取得した文字列の内容または属性が予め決められた条件を満たすか否かを判断する判断部と、
前記判断部が予め決められた条件を満たすと判断した文字列を、音声情報に変換し、音声情報の文字列を取得する音声変換部と、
前記音声変換部が取得した音声情報を出力する音声出力部とを具備する情報出力装置。
【請求項７】
前記文字列は、
緊急性を有する情報である速報情報である請求項６記載の情報出力装置。
【請求項８】
請求項１から請求項５いずれか一項に記載の情報転送装置から文字列を受信する端末受信部と、
格納されている端末装置の状態を取得し、当該状態に応じて、前記文字列に対応する音声出力、または前記文字列に対応するテキストの画面上への出力のどちらかを行う端末出力部とを具備する端末装置。
【請求項９】
受信部、文字列取得部、判断部、および転送部により実現される情報転送方法であって、
前記受信部が、デジタル放送を受信する受信ステップと、
前記文字列取得部が、前記受信ステップで受信されたデジタル放送から文字列を取得する文字列取得ステップと、
前記判断部が、前記文字列取得ステップで取得された文字列の内容または属性が予め決められた条件を満たすか否かを判断する判断ステップと、
前記転送部が、前記判断ステップで予め決められた条件を満たすと判断された文字列を転送する転送ステップとを具備する情報転送方法。
【請求項１０】
受信部、文字列取得部、判断部、音声変換部および音声出力部により実現される情報出力方法であって、
前記受信部が、デジタル放送を受信する受信ステップと、
前記文字列取得部が、前記受信ステップで受信されたデジタル放送から文字列を取得する文字列取得ステップと、
前記判断部が、前記文字列取得ステップで取得された文字列の内容または属性が予め決められた条件を満たすか否かを判断する判断ステップと、
前記音声変換部が、前記判断ステップで予め決められた条件を満たすと判断した文字列を、音声情報に変換し、音声情報の文字列を取得する音声変換ステップと、
前記音声出力部が、前記音声変換ステップで取得された音声情報を出力する音声出力ステップとを具備する情報転送方法。
【請求項１１】
コンピュータを、
デジタル放送を受信する受信部と、
前記受信部が受信したデジタル放送から文字列を取得する文字列取得部と、
前記文字列取得部が取得した文字列の内容または属性が予め決められた条件を満たすか否かを判断する判断部と、
前記判断部が予め決められた条件を満たすと判断した文字列を転送する転送部として機能させるためのプログラム。
【請求項１２】
コンピュータを、
デジタル放送を受信する受信部と、
前記受信部が受信したデジタル放送から文字列を取得する文字列取得部と、
前記文字列取得部が取得した文字列の内容または属性が予め決められた条件を満たすか否かを判断する判断部と、
前記判断部が予め決められた条件を満たすと判断した文字列を、音声情報に変換し、音声情報の文字列を取得する音声変換部と、
前記音声変換部が取得した音声情報を出力する音声出力部として機能させるためのプログラム。
【発明の詳細な説明】
【技術分野】
【０００１】
本発明は、文字列を転送する文字情報転送装置等に関するものである。
【背景技術】
【０００２】
従来、放送番組の信号から文字列を抽出する情報文字列抽出部と、情報文字列抽出部で抽出した文字列に基づいて音声データを作成する音声生成部とを備える放送受信装置であって、音声生成部で生成した音声データを再生して音声ガイドとして出力可能である放送受信装置があった（特許文献１参照）。
【０００３】
また、災害情報等の速報情報を含まないコンテンツの再生中であっても速報情報をユーザーに提供可能な技術があった（特許文献２参照）。
【先行技術文献】
【特許文献】
【０００４】
【特許文献１】特開２００９−２６０６８５号公報（第１頁、第１図等）
【特許文献２】特開２０１２−２４４２００号公報（第１頁、第１図等）
【発明の概要】
【発明が解決しようとする課題】
【０００５】
しかしながら、従来技術においては、デジタル放送される文字列のうち、地震情報等の必要な情報を選択して、必要な人に知らせることができなかった。
【０００６】
また、特に、特許文献１に係る技術では、すべての文字列を音声出力するので、真に必要な情報のみを伝えることができなかった。
【課題を解決するための手段】
【０００７】
本第一の発明の情報転送装置は、デジタル放送を受信する受信部と、受信部が受信したデジタル放送から文字列を取得する文字列取得部と、文字列取得部が取得した文字列の内容または属性が予め決められた条件を満たすか否かを判断する判断部と、判断部が予め決められた条件を満たすと判断した文字列を転送する転送部とを具備する情報転送装置である。
【０００８】
かかる構成により、デジタル放送される文字列のうち、地震情報等の必要な情報を選択して、必要な人に知らせることができる。
【０００９】
また、本第二の発明の情報転送装置は、第一の発明に対して、転送部は、判断部が予め決められた条件を満たすと判断した文字列であるテキストを転送する情報転送装置である。
【００１０】
かかる構成により、デジタル放送される文字列のうち、地震情報等の必要な情報を選択して、必要な人に知らせることができる。
【００１１】
また、本第三の発明の情報転送装置は、第一の発明に対して、転送部は、判断部が予め決められた条件を満たすと判断した文字列を、音声情報に変換し、音声情報の文字列を取得する音声変換手段と、音声変換手段が取得した音声情報の文字列を転送する転送手段とを具備する情報転送装置である。
【００１２】
かかる構成により、目の不自由な人にも、デジタル放送される文字列のうち、地震情報等の必要な情報を選択して、知らせることができる。
【００１３】
また、本第四の発明の情報転送装置は、第一から第三の発明に対して、転送先を識別する１以上の転送先識別子を格納し得る転送先識別子格納部をさらに具備し、転送部は、１以上の転送先識別子で識別される１以上の転送先に、判断部が予め決められた条件を満たすと判断した文字列を転送する情報転送装置である。
【００１４】
かかる構成により、デジタル放送される文字列のうち、地震情報等の必要な情報を選択して、予め登録されている人に知らせることができる。
【００１５】
また、本第五の発明の情報転送装置は、第一から第四の発明に対して、文字列は、緊急性を有する情報である速報情報である情報転送装置である。
【００１６】
かかる構成により、デジタル放送される文字列のうち、地震情報等の速報情報を選択して、必要な人に知らせることができる。
【００１７】
また、本第六の発明の情報出力装置は、デジタル放送を受信する受信部と、受信部が受信したデジタル放送から文字列を取得する文字列取得部と、文字列取得部が取得した文字列の内容または属性が予め決められた条件を満たすか否かを判断する判断部と、判断部が予め決められた条件を満たすと判断した文字列を、音声情報に変換し、音声情報の文字列を取得する音声変換部と、音声変換部が取得した音声情報を出力する音声出力部とを具備する情報出力装置である。
【００１８】
かかる構成により、目の不自由な人にも、デジタル放送される文字列のうち、地震情報等の必要な情報を選択して知らせることができる。
【００１９】
また、本第七の発明の情報出力装置は、第六の発明に対して、文字列は、緊急性を有する情報である速報情報である情報出力装置である。
【００２０】
かかる構成により、目の不自由な人にも、デジタル放送される文字列のうち、速報情報を選択して知らせることができる。
【発明の効果】
【００２１】
本発明による情報転送装置によれば、デジタル放送される文字列のうち、地震情報等の必要な情報を選択して、必要な人に知らせることができる。
【図面の簡単な説明】
【００２２】
【図１】実施の形態１における情報転送システム１の概念図
【図２】同情報転送システム１のブロック図
【図３】同情報転送装置１１の動作について説明するフローチャート
【図４】同受信されたデジタル放送の信号の例を示す図
【図５】同端末装置１２における出力例を示す図
【図６】同受信されたデジタル放送の信号の例を示す図
【図７】同出力部における画像出力の例を示す図
【図８】実施の形態２における情報出力装置２のブロック図
【図９】同情報出力装置２の動作について説明するフローチャート
【図１０】上記実施の形態におけるコンピュータシステムの概観図
【図１１】同コンピュータシステムのブロック図
【発明を実施するための形態】
【００２３】
以下、情報転送装置等の実施形態について図面を参照して説明する。なお、実施の形態において同じ符号を付した構成要素は同様の動作を行うので、再度の説明を省略する場合がある。
【００２４】
（実施の形態１）
本実施の形態において、文字列を含むデジタル放送を受信し、条件を満たす文字列のみを抽出し、外部の装置に転送する情報転送装置を含む情報転送システムについて説明する。なお、文字列は、例えば、速報情報である。
【００２５】
図１は、本実施の形態における情報転送システム１の概念図である。情報転送システム１は、情報転送装置１１、および１以上の端末装置１２を備える。情報転送装置１１は、デジタル放送を受信する機能、および情報を外部の装置に転送する機能を有する。また、端末装置１２は、情報転送装置１１から文字列を受信し、出力する端末である。端末装置１２は、携帯電話、いわゆるスマートフォン等の携帯端末、いわゆる携帯用パーソナルコンピュータ、設置型のパーソナルコンピュータ、デジタルサイネージ等である。
【００２６】
図２は、本実施の形態における情報転送システム１のブロック図である。
【００２７】
情報転送装置１１は、転送先識別子格納部１１１、受信部１１２、文字列取得部１１３、判断部１１４、転送部１１５を備える。また、音声情報を転送する場合、転送部１１５は、音声変換手段１１５１、転送手段１１５２を備えても良い。さらに、端末装置１２は、端末受信部１２１、端末出力部１２２を備える。
【００２８】
情報転送装置１１を構成する転送先識別子格納部１１１は、転送先を識別する１以上の転送先識別子を格納し得る。転送先識別子は、通信を行うための情報であり、例えば、メールアドレス、ＩＰアドレス、ＭＡＣアドレス等である。
【００２９】
受信部１１２は、デジタル放送を受信する。
【００３０】
文字列取得部１１３は、受信部１１２が受信したデジタル放送から文字列を取得する。ここで、文字列とは、例えば、字幕、文字スーパーとして表示される文字列、文字放送の文字列、イベントメッセージのプライベートデータ等である。また、文字列は、例えば、緊急性を有する情報である速報情報である。速報情報は、例えば、地震や津波等の災害の情報である。
【００３１】
なお、文字列取得部１１３は、デジタル放送の信号に含まれるテキストである文字列を取得しても良いし、デジタル放送の信号に含まれる画像から文字認識処理を行い、文字列の部分を抽出しても良い。文字列取得部１１３の処理は公知技術であるので、詳細な説明を省略する。
【００３２】
判断部１１４は、文字列取得部１１３が取得した文字列の内容または属性が予め決められた条件を満たすか否かを判断する。なお、判断部１１４は、例えば、予め決められた条件を予め保持している。文字列の内容とは、文字列が示す情報そのものである。また、文字列の属性とは、色、サイズ、フォント、文字列の前後に付加された情報等である。
【００３３】
また、予め決められた条件とは、例えば、速報情報であることである。また、例えば、予め決められた条件は、「地震速報」「地震」「津波速報」「津波警報」「津波」などの文字列を含むことである。また、例えば、予め決められた条件は、例えば、文字列の色が透明、赤等であることである。例えば、また、例えば、予め決められた条件は、速報情報であることを示す信号の後に受信された文字列であることである。判断部１１４は、文字列取得部１１３が取得した文字列に対して、かかる予め決められた条件を満たすか否かを判断する。
【００３４】
転送部１１５は、判断部１１４が予め決められた条件を満たすと判断した文字列を転送する。ここで、文字列のデータ形式は問わない。転送される文字列は、テキストでも良いし、画像でも良いし、音声情報等でも良い。また、転送とは、通常、予め決められた端末への転送でも良いし、不特定の端末への放送でも良い。
【００３５】
また、転送部１１５は、１以上の転送先識別子で識別される１以上の転送先に、判断部１１４が予め決められた条件を満たすと判断した文字列を転送しても良い。
【００３６】
音声変換手段１１５１は、判断部１１４が予め決められた条件を満たすと判断した文字列を、音声情報に変換し、音声情報の文字列を取得する。
【００３７】
転送手段１１５２は、音声変換手段１１５１が取得した音声情報の文字列を転送する。
【００３８】
端末装置１２を構成する端末受信部１２１は、情報転送装置１１から文字列を受信する。ここでの文字列のデータタイプは問わない。文字列は、例えば、テキスト、音声情報等である。
【００３９】
端末出力部１２２は、端末受信部１２１が受信した文字列を出力する。また、端末出力部１２２は、格納されている端末装置１２の状態を取得し、当該状態に応じて、文字列に対応する音声出力、または文字列に対応するテキストの画面上への出力のどちらかを行っても良い。なお、端末装置１２の状態とは、例えば、マナーモード、フライトモード等の端末装置１２のモードである。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００４０】
転送先識別子格納部１１１は、不揮発性の記録媒体が好適であるが、揮発性の記録媒体でも実現可能である。転送先識別子格納部１１１に転送先識別子が記憶される過程は問わない。例えば、記録媒体を介して転送先識別子が転送先識別子格納部１１１で記憶されるようになってもよく、通信回線等を介して送信された転送先識別子が転送先識別子格納部１１１で記憶されるようになってもよく、あるいは、入力デバイスを介して入力された転送先識別子が転送先識別子格納部１１１で記憶されるようになってもよい。
【００４１】
受信部１１２は、通常、放送を受信する手段で実現される。なお、放送には、ＩＰ放送も含まれることは言うまでもない。
【００４２】
文字列取得部１１３、判断部１１４、および音声変換手段１１５１は、通常、ＭＰＵやメモリ等から実現され得る。文字列取得部１１３等の処理手順は、通常、ソフトウェアで実現され、当該ソフトウェアはＲＯＭ等の記録媒体に記録されている。但し、ハードウェア（専用回路）で実現しても良い。
【００４３】
転送部１１５、転送手段１１５２、および端末受信部１２１は、通常、無線の通信手段等で実現され得る。ただし、転送部１１５等は、有線の通信手段でも良い。有線の通信手段は、例えば、社内ＬＡＮや宅内ＬＡＮ等も含む。
【００４４】
端末出力部１２２は、ディスプレイやスピーカー等の出力デバイスを含むと考えても含まないと考えても良い。端末出力部１２２は、出力デバイスのドライバーソフトまたは、出力デバイスのドライバーソフトと出力デバイス等で実現され得る。
【００４５】
次に、情報転送システム１の動作について説明する。まず、情報転送装置１１の動作について、図３のフローチャートを用いて説明する。
【００４６】
（ステップＳ３０１）受信部１１２は、デジタル放送を受信したか否かを判断する。デジタル放送を受信すればステップＳ３０２に行き、デジタル放送を受信しなければステップＳ３０１に戻る。
【００４７】
（ステップＳ３０２）文字列取得部１１３は、ステップＳ３０１で受信されたデジタル放送から文字列を抽出する。
【００４８】
（ステップＳ３０３）判断部１１４は、ステップＳ３０２で文字列が抽出されたか否かを判断する。文字列が抽出されればステップＳ３０４に行き、文字列が抽出されなければステップＳ３０１に戻る。
【００４９】
（ステップＳ３０４）判断部１１４は、ステップＳ３０２で抽出された文字列が、予め決められた条件を満たすか否かを判断する。条件を満たす場合はステップＳ３０５に行き、条件を満たさない場合はステップＳ３０１に戻る。
【００５０】
（ステップＳ３０５）音声変換手段１１５１は、ステップＳ３０２で抽出された文字列を、音声情報に変換し、音声情報の文字列を取得する。
【００５１】
（ステップＳ３０６）転送手段１１５２は、ステップＳ３０５で取得された音声情報の文字列を転送する。ステップＳ３０１に戻る。
【００５２】
なお、図３のフローチャートにおいて、変換して取得した音声情報を転送した。しかし、転送部１１５は、判断部１１４が予め決められた条件を満たすと判断したテキストの文字列を転送しても良いことは言うまでもない。
【００５３】
また、ステップＳ３０６において、転送手段１１５２は、例えば、転送先識別子格納部１１１に格納されている１以上の転送先識別子を読み出し、当該１以上の転送先識別子で識別される１以上の転送先に文字列を転送する。
【００５４】
さらに、図３のフローチャートにおいて、電源オフや処理終了の割り込みにより処理は終了する。
【００５５】
次に、端末装置１２の動作について説明する。端末装置１２の端末受信部１２１は情報転送装置１１から文字列を受信する。次に、端末出力部１２２は、端末受信部１２１が受信した文字列を出力する。文字列の出力は、画面上への出力、音声出力等、何でも良い。また、注意喚起をする音（ブザー等）またはバイブレーションとともに、画面上へ文字列を出力しても良い。
【００５６】
以下、本実施の形態における情報転送システム１の具体的な動作について説明する。情報転送システム１の概念図は図１である。また、以下、３つの具体例について説明する。
【００５７】
（具体例１）
具体例１は、「津波」「地震」を有する文字列が放送された場合、当該文字列を転送する場合である。つまり、予め決められた条件は、「文字列が「津波」「地震」を有する」ことである。また、具体例１は、放送された文字列が、「津波」「地震」を有する場合である。
【００５８】
今、デジタル放送を行う放送装置から、図４に示す津波警報に関する情報が放送された、とする。
【００５９】
次に、受信部１１２は、デジタル放送を受信する。そして、文字列取得部１１３は、受信された図４のデジタル放送の信号から文字列「今から５分後に、〇〇沿岸に１０ｍの津波が到着する可能性があります。〇〇沿岸の方は、至急、山側に避難してください。」を抽出し、予め決められたバッファに一時蓄積する。
【００６０】
次に、判断部１１４は、文字列が抽出されたと判断する。判断部１１４は、抽出された文字列が、予め決められた条件「文字列が「津波」「地震」を有する」を満たすか否かを判断する。ここで、判断部１１４は、文字列が抽出されたと判断する。判断部１１４は、抽出された文字列が、予め決められた条件「文字列が「津波」「地震」を有する」を満たす、と判断する。
【００６１】
次に、音声変換手段１１５１は、文字列を、音声情報に変換し、音声情報の文字列を取得する。
【００６２】
次に、転送手段１１５２は、転送先識別子格納部１１１に格納されている１以上の転送先識別子を読み出す。そして、転送手段１１５２は、１以上の転送先識別子で識別される１以上の転送先に、取得された音声情報の文字列「今から５分後に、〇〇沿岸に１０ｍの津波が到着する可能性があります。〇〇沿岸の方は、至急、山側に避難してください。」を転送する。なお、転送手段１１５２は、音声情報とテキストとの両方を送信しても良い。
【００６３】
次に、端末装置１２の端末受信部１２１は情報転送装置１１から音声情報を受信する。次に、端末出力部１２２は、端末受信部１２１が受信した音声情報「今から５分後に、〇〇沿岸に１０ｍの津波が到着する可能性があります。〇〇沿岸の方は、至急、山側に避難してください。」を音声出力する。なお、端末出力部１２２は、端末装置１２の状態を検知し、状態に応じて、音声情報、またはテキストを出力しても良い。また、端末出力部１２２は、音声情報とテキストの両方を出力しても良い。つまり、例えば、端末装置１２の状態がマナーモードである場合、端末出力部１２２は、テキストのみを画面に出力しても良い（図５参照）。かかる場合、バイブレーションを起動しても良い。
【００６４】
かかる具体例によれば、目の不自由な人、または端末の画面を見ていない人にでも、緊急の情報を知らせることができる。つまり、具体例１によれば、普及した携帯端末を用いて、放送された緊急情報を即座に通知できる。そのため、目の不自由な人等は、必要な情報のみを知ることができ、身の安全を守ることができる。
【００６５】
（具体例２）
具体例２は、「津波」「地震」を有する文字列が放送された場合、当該文字列を転送する場合である。つまり、予め決められた条件は、「文字列が「津波」「地震」を有する」ことである。また、具体例２は、放送された文字列が、「津波」「地震」を有さない場合である。
【００６６】
今、デジタル放送を行う放送装置から、図６に示す手品番組に関する情報が放送された、とする。本番組の画像には、文字列「ガイコツが出ました。拍手！！！」が文字スーパーとして表示されている。
【００６７】
次に、受信部１１２は、デジタル放送を受信する。そして、文字列取得部１１３は、受信された図６のデジタル放送の信号から文字列「ガイコツが出ました。拍手！！！」を抽出し、予め決められたバッファに一時蓄積する。
【００６８】
次に、判断部１１４は、文字列が抽出されたと判断する。判断部１１４は、抽出された文字列が、予め決められた条件「文字列が「津波」「地震」を有する」を満たすか否かを判断する。つまり、判断部１１４は、抽出された文字列が、予め決められた条件「文字列が「津波」「地震」を有する」を満たさない、と判断する。そして、処理を終了する。
【００６９】
かかる具体例によれば、目の不自由な人、または端末の画面を見ていない人等に、知らせる必要のない情報について、知らせない。そのため、目の不自由な人等は、真に必要な情報のみを知ることができ、身の安全を守ることができる。
【００７０】
（具体例３）
具体例３は、文字列の色が透明色である文字列が放送された場合、当該文字列を転送する場合である。つまり、予め決められた条件は、「文字列の色属性＝"透明"」である。
【００７１】
今、デジタル放送を行う放送装置から、手品番組に関する情報が放送された、とする。本番組の画像には、透明の文字列「ガイコツが出ました。拍手！！！」を含む、とする。
【００７２】
また、情報転送装置１１は、図示しない出力部を具備する、とする。出力部は、画像、または画像と音声を出力する、とする。
【００７３】
かかる状況において、受信部１１２は、透明の文字列を含むデジタル放送を受信した、とする。次に、図７に示すような出力部は画像を出力する。なお、本画像には、透明の文字列は出力されたとしても、視聴者には見えない。
【００７４】
次に、文字列取得部１１３は、受信されたデジタル放送から文字列「ガイコツが出ました。拍手！！！」を抽出する。なお、この文字列の色の属性値は「透明」である。
【００７５】
次に、判断部１１４は、文字列が抽出されたと判断する。また、判断部１１４は、抽出された文字列が、予め決められた条件「文字列の色属性＝"透明"」を満たすと判断する。
【００７６】
次に、音声変換手段１１５１は、抽出された文字列「ガイコツが出ました。拍手！！！」を、音声情報に変換し、音声情報の文字列を取得する。
【００７７】
次に、転送手段１１５２は、転送先識別子格納部１１１に格納されている１以上の転送先識別子を読み出す。次に、転送手段１１５２は、１以上の転送先識別子で識別される１以上の転送先に、取得された音声情報「ガイコツが出ました。拍手！！！」の文字列を転送する。
【００７８】
次に、端末装置１２の端末受信部１２１は情報転送装置１１から音声情報を受信する。次に、端末出力部１２２は、端末受信部１２１が受信した音声情報「ガイコツが出ました。拍手！！！」を音声出力する。
【００７９】
かかる具体例によれば、健常者の視聴を邪魔せずに、目の不自由な人に、デジタル放送の情報を提供できる。
【００８０】
以上、本実施の形態によれば、デジタル放送される文字列のうち、地震情報等の必要な情報を選択して、必要な人に知らせることができる。また、本実施の形態によれば、目の不自由な人にも、デジタル放送される文字列のうち、速報情報を選択して知らせることができる。さらに、本実施の形態によれば、健常者の視聴を邪魔せずに、目の不自由な人に、デジタル放送の情報を提供できる。
【００８１】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報転送装置を実現するソフトウェアは、以下のようなプログラムである。つまり、このプログラムは、コンピュータを、デジタル放送を受信する受信部と、前記受信部が受信したデジタル放送から文字列を取得する文字列取得部と、
前記文字列取得部が取得した文字列の内容または属性が予め決められた条件を満たすか否かを判断する判断部と、前記判断部が予め決められた条件を満たすと判断した文字列を転送する転送部として機能させるためのプログラムである。
【００８２】
また、上記プログラムにおいて、前記転送部は、前記判断部が予め決められた条件を満たすと判断した文字列であるテキストを転送するものとして、コンピュータを機能させることは好適である。
【００８３】
また、上記プログラムにおいて、前記転送部は、前記判断部が予め決められた条件を満たすと判断した文字列を、音声情報に変換し、音声情報の文字列を取得する音声変換手段と、前記音声変換手段が取得した音声情報の文字列を転送する転送手段とを具備するものとして、コンピュータを機能させることは好適である。
【００８４】
また、記録媒体に、転送先を識別する１以上の転送先識別子を格納しており、上記プログラムにおいて、前記転送部は、
前記１以上の転送先識別子で識別される１以上の転送先に、前記判断部が予め決められた条件を満たすと判断した文字列を転送するものとして、コンピュータを機能させることは好適である。
【００８５】
また、上記プログラムにおいて、前記文字列は、緊急性を有する情報である速報情報であるものとして、コンピュータを機能させることは好適である。
【００８６】
（実施の形態２）
本実施の形態において、文字列を含むデジタル放送を受信し、条件を満たす文字列のみを抽出し、音声出力する情報出力装置２について説明する。
【００８７】
図８は、本実施の形態における情報出力装置２のブロック図である。情報出力装置２は、受信部１１２、文字列取得部１１３、判断部１１４、音声変換部２４、音声出力部２５を備える。
【００８８】
音声変換部２４は、判断部１１４が予め決められた条件を満たすと判断した文字列を、音声情報に変換し、音声情報の文字列を取得する。なお、音声変換部２４は、音声変換手段１１５１と同等の機能を有する。
【００８９】
音声変換部２４は、通常、ＭＰＵやメモリ等から実現され得る。音声変換部２４の処理手順は、通常、ソフトウェアで実現され、当該ソフトウェアはＲＯＭ等の記録媒体に記録されている。但し、ハードウェア（専用回路）で実現しても良い。
【００９０】
音声出力部２５は、音声変換部２４が取得した音声情報を出力する。音声出力部２５は、スピーカー等の出力デバイスを含むと考えても含まないと考えても良い。音声出力部２５は、出力デバイスのドライバーソフトまたは、出力デバイスのドライバーソフトと出力デバイス等で実現され得る。
【００９１】
次に、情報出力装置２の動作について、図９のフローチャートを用いて説明する。図９のフローチャートにおいて、図３のフローチャートと同一のステップについて、説明を省略する。
【００９２】
（ステップＳ９０１）音声出力部２５は、音声変換部２４が取得した音声情報を出力する。
【００９３】
なお、図９のフローチャートにおいて、音声情報を取得する処理（ステップＳ３０５の処理）は、音声変換部２４が行う。
【００９４】
さらに、図９のフローチャートにおいて、電源オフや処理終了の割り込みにより処理は終了する。
【００９５】
以下、本実施の形態における情報出力装置２の具体的な動作について説明する。
【００９６】
（具体例１）
具体例１は、「津波」「地震」を有する文字列が放送された場合、当該文字列を音声出力する場合である。つまり、予め決められた条件は、「文字列が「津波」「地震」を有する」ことである。また、具体例１は、放送された文字列が、「津波」「地震」を有する場合である。
【００９７】
今、デジタル放送を行う放送装置から、図４に示す津波警報に関する情報が放送された、とする。
【００９８】
次に、受信部１１２は、デジタル放送を受信する。そして、文字列取得部１１３は、受信された図４のデジタル放送の信号から文字列「今から５分後に、〇〇沿岸に１０ｍの津波が到着する可能性があります。〇〇沿岸の方は、至急、山側に避難してください。」を抽出し、予め決められたバッファに一時蓄積する。
【００９９】
次に、判断部１１４は、文字列が抽出されたと判断する。判断部１１４は、抽出された文字列が、予め決められた条件「文字列が「津波」「地震」を有する」を満たすか否かを判断する。ここで、判断部１１４は、文字列が抽出されたと判断する。判断部１１４は、抽出された文字列が、予め決められた条件「文字列が「津波」「地震」を有する」を満たす、と判断する。
【０１００】
次に、音声変換部２４は、文字列を、音声情報に変換し、音声情報の文字列を取得する。
【０１０１】
次に、音声出力部２５は、音声変換部２４が取得した音声情報「今から５分後に、〇〇沿岸に１０ｍの津波が到着する可能性があります。〇〇沿岸の方は、至急、山側に避難してください。」を音声出力する。
【０１０２】
かかる具体例によれば、目の不自由な人にでも、緊急の情報を知らせることができる。そのため、目の不自由な人は、必要な情報を知ることができ、身の安全を守ることができる。
【０１０３】
（具体例２）
具体例２は、文字列の色が透明色である文字列が放送された場合、当該文字列を音声出力する場合である。つまり、予め決められた条件は、「文字列の色属性＝"透明"」である。
【０１０４】
今、デジタル放送を行う放送装置から、手品番組に関する情報が放送された、とする。本番組の画像には、透明の文字列「ガイコツが出ました。拍手！！！」を含む、とする。
【０１０５】
かかる状況において、受信部１１２は、透明の文字列を含むデジタル放送を受信した、とする。
【０１０６】
次に、文字列取得部１１３は、受信されたデジタル放送から文字列「ガイコツが出ました。拍手！！！」を抽出する。
【０１０７】
次に、判断部１１４は、文字列が抽出されたと判断する。また、判断部１１４は、抽出された文字列が、予め決められた条件「文字列の色属性＝"透明"」を満たすと判断する。
【０１０８】
次に、音声変換部２４は、抽出された文字列「ガイコツが出ました。拍手！！！」を、音声情報に変換し、音声情報の文字列を取得する。
【０１０９】
次に、音声出力部２５は、音声変換部２４が取得した音声情報「ガイコツが出ました。拍手！！！」を音声出力する。
【０１１０】
かかる具体例によれば、目の不自由な人に、デジタル放送の情報を提供できる。
【０１１１】
以上、本実施の形態によれば、目の不自由な人にも、デジタル放送される文字列のうち、速報情報を選択して知らせることができる。
【０１１２】
なお、本実施の形態における情報出力装置２を実現するソフトウェアは、以下のようなプログラムである。つまり、このプログラムは、コンピュータを、デジタル放送を受信する受信部と、前記受信部が受信したデジタル放送から文字列を取得する文字列取得部と、前記文字列取得部が取得した文字列の内容または属性が予め決められた条件を満たすか否かを判断する判断部と、前記判断部が予め決められた条件を満たすと判断した文字列を、音声情報に変換し、音声情報の文字列を取得する音声変換部と、前記音声変換部が取得した音声情報を出力する音声出力部として機能させるためのプログラムである。
【０１１３】
また、前記文字列は、緊急性を有する情報である速報情報であることは好適である。
【０１１４】
また、図１０は、本明細書で述べたプログラムを実行して、上述した種々の実施の形態の情報転送装置を実現するコンピュータの外観を示す。上述の実施の形態は、コンピュータハードウェア及びその上で実行されるコンピュータプログラムで実現され得る。図１０は、このコンピュータシステム３００の概観図であり、図１１は、システム３００のブロック図である。
【０１１５】
図１０において、コンピュータシステム３００は、ＣＤ−ＲＯＭドライブを含むコンピュータ３０１と、キーボード３０２と、マウス３０３と、モニタ３０４と、マイク３０５と、スピーカー３０６とを含む。
【０１１６】
図１１において、コンピュータ３０１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３０１は、さらに、ＬＡＮへの接続を提供するネットワークカードを含んでも良い。
【０１１７】
コンピュータシステム３００に、上述した実施の形態の情報転送装置の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１１８】
プログラムは、コンピュータ３０１に、上述した実施の形態の情報転送装置の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１１９】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１２０】
また、上記プログラムを実行するコンピュータは、単数であってもよく、複数であってもよい。すなわち、集中処理を行ってもよく、あるいは分散処理を行ってもよい。
【０１２１】
また、上記各実施の形態において、一の装置に存在する２以上の通信手段（端末情報送信部、端末情報受信部など）は、物理的に一の媒体で実現されても良いことは言うまでもない。
【０１２２】
また、上記各実施の形態において、各処理（各機能）は、単一の装置（システム）によって集中処理されることによって実現されてもよく、あるいは、複数の装置によって分散処理されることによって実現されてもよい。
【０１２３】
本発明は、以上の実施の形態に限定されることなく、種々の変更が可能であり、それらも本発明の範囲内に包含されるものであることは言うまでもない。
【産業上の利用可能性】
【０１２４】
以上のように、本発明にかかる情報転送装置は、デジタル放送される文字列のうち、地震情報等の必要な情報を選択して、必要な人に知らせることができる、という効果を有し、目の不自由な人向けの装置等として有用である。
【符号の説明】
【０１２５】
１  情報転送システム
２  情報出力装置
１１  情報転送装置
１２  端末装置
２４  音声変換部
２５  音声出力部
１１１  転送先識別子格納部
１１２  受信部
１１３  文字列取得部
１１４  判断部
１１５  転送部
１２１  端末受信部
１２２  端末出力部
【図１】
2014204382.tif 000003
【図２】
2014204382.tif 000004
【図３】
2014204382.tif 000005
【図５】
2014204382.tif 000006
【図８】
2014204382.tif 000007
【図９】
2014204382.tif 000008
【図１０】
2014204382.tif 000009
【図１１】
2014204382.tif 000010
【図４】
2014204382.tif 000011
【図６】
2014204382.tif 000012
【図７】
2014204382.tif 000013